【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
印刷装置と通信可能な入力表示装置であって、
印刷設定画面を表示する表示手段と、
前記表示手段に表示した前記印刷設定画面への操作者によるタッチを検出するタッチ検出手段と、
装置本体の姿勢を検出する姿勢検出手段と、
前記タッチ検出手段によって検出された操作者によるタッチが前記印刷設定画面に表示されている何れの画面構成要素をタッチしているかを判定する位置判定手段と、
前記タッチ検出手段によって検出された操作者によるタッチからの操作がどのような操作であるかを判定する操作判定手段と、
前記姿勢検出手段によって検出された前記入力表示装置の姿勢から該入力表示装置が前記表示手段の表示画面を含む平面上で回転したか否かを判定する回転判定手段と、
前記操作判定手段によって前記操作が長押しであると判定され、且つ、前記回転判定手段によって回転したと判定されると、前記位置判定手段によってタッチしていると判定された画面構成要素を、前記入力表示装置が回転した方向と逆方向に回転して表示する表示制御手段と
を備えることを特徴とする入力表示装置。
【請求項２】
前記姿勢検出手段によって検出された前記入力表示装置の姿勢から該入力表示装置が前記表示手段の表示画面を含む平面上で回転した回転角度を算出する算出手段をさらに備え、
前記表示制御手段は、前記印刷設定画面のタッチされた画面構成要素を、前記算出手段によって算出された回転角度だけ、前記入力表示装置が回転した方向と逆方向に回転して表示することを特徴とする請求項１に記載の入力表示装置。
【請求項３】
前記操作判定手段によって長押しと判定された後に、前記タッチ検出手段による検出結果から、タッチ位置が移動したか否かを判定する移動判定手段をさらに備え、
前記表示制御手段は、前記移動判定手段によってタッチ位置が移動したと判定されると、前記印刷設定画面のタッチされた画面構成要素を、移動した前記タッチ位置へ移動させて表示することを特徴とする請求項１又は２に記載の入力表示装置。
【請求項４】
前記画面構成要素は、前記印刷装置において印刷処理が実施される際の印刷ページごとのサムネイルを示す表示であり、
前記タッチ検出手段によって操作者によるタッチの解放が検出されると、前記表示制御手段によって何れかの前記サムネイルが回転されている場合には回転された該サムネイルに対応する印刷ページを回転印刷を行うように設定する印刷設定手段をさらに備えることを特徴とする請求項１又は２に記載の入力表示装置。
【請求項５】
前記表示制御手段は、前記印刷設定手段によって回転印刷が設定され、かつ、前記タッチ検出手段によって操作者によるタッチの解放が検出されてから所定時間が経過した後に、前記入力表示装置が回転した方向に前記印刷設定画面を回転させて表示することを特徴とする請求項４に記載の入力表示装置。
【請求項６】
前記画面構成要素は、前記印刷装置において印刷処理が実施される際の印刷ページごとのサムネイルを示す表示であり、
前記タッチ検出手段によって操作者によるタッチの解放が検出されると、前記表示制御手段によって何れかの前記サムネイルが移動されている場合には、移動した位置に応じて移動された該サムネイルに対応する印刷ページの印刷順序を変更するか、又は、該印刷ページを削除するように設定する印刷設定手段をさらに備えることを特徴とする請求項３に記載の入力表示装置。
【請求項７】
前記入力表示装置と、前記印刷装置とは、無線通信を介して通信を行うことを特徴とする請求項１乃至６の何れか１項に記載の入力表示装置。
【請求項８】
前記操作判定手段は、前記タッチ検出手段によって検出された操作者によるタッチからの操作が、短押し、長押し、及びタッチ位置が変化するフリック操作の何れであるかを判定することを特徴とする請求項１乃至７の何れか１項に記載の入力表示装置。
【請求項９】
請求項１乃至８の何れか１項に記載の入力表示装置を接続するコネクタと、
前記コネクタを介して接続された前記入力表示装置へ電力を供給する電源コントローラと
を備えることを特徴とする印刷装置。
【請求項１０】
印刷設定画面を表示する表示手段と、前記表示手段に表示した前記印刷設定画面への操作者によるタッチを検出するタッチ検出手段と、装置本体の姿勢を検出する姿勢検出手段とを備え、印刷装置と通信可能な入力表示装置の制御方法であって、
前記タッチ検出手段によって検出された操作者によるタッチが前記印刷設定画面に表示されている何れの画面構成要素をタッチしているかを判定する位置判定ステップと、
前記タッチ検出手段によって検出された操作者によるタッチからの操作がどのような操作であるかを判定する操作判定ステップと、
前記姿勢検出手段によって検出された前記入力表示装置の姿勢から該入力表示装置が前記表示手段の表示画面を含む平面上で回転したか否かを判定する回転判定ステップと、
前記操作判定ステップにおいて前記操作が長押しであると判定され、且つ、前記回転判定ステップにおいて回転したと判定されると、前記位置判定ステップにおいてタッチしていると判定された画面構成要素を、前記入力表示装置が回転した方向と逆方向に回転して表示する表示制御ステップと
を実行することを特徴とする入力表示装置の制御方法。
【請求項１１】
入力表示装置であって、
表示手段と、
前記表示手段に表示された画面への操作者によるタッチを検出するタッチ検出手段と、
装置本体の姿勢を検出する姿勢検出手段と、
前記タッチ検出手段による検出結果に基づいて、前記表示手段に表示されている画面上において操作者により選択された画面構成要素を特定する特定手段と、
前記姿勢検出手段によって検出された前記入力表示装置の姿勢に基づいて、該入力表示装置が前記表示手段の表示画面を含む平面上で回転したか否かを判定する回転判定手段と、
前記回転判定手段によって前記入力表示装置が回転したと判定されると、前記特定手段によって特定された画面構成要素を、前記入力表示装置が回転した方向と逆方向に回転して表示する表示制御手段と、
を備えることを特徴とする入力表示装置。
【請求項１２】
前記姿勢検出手段によって検出された前記入力表示装置の姿勢から該入力表示装置が前記表示手段の表示画面を含む平面上で回転した回転角度を算出する算出手段をさらに備え、
前記表示制御手段は、前記特定手段により特定された画面構成要素を、前記算出手段によって算出された回転角度だけ、前記入力表示装置が回転した方向と逆方向に回転して表示することを特徴とする請求項１１に記載の入力表示装置。
【請求項１３】
前記表示制御手段は、前記タッチ検出手段によって操作者によるタッチの解放が検出されてから所定時間が経過した後に、前記入力表示装置が回転した方向に基づいて、前記画面を回転させて表示することを特徴とする請求項１１又は１２に記載の入力表示装置。
【請求項１４】
前記画面には複数の画面構成要素が表示されており、
前記表示制御手段は、前記回転判定手段によって前記入力表示装置が回転したと判定されると、前記特定手段によって特定された画面構成要素を、前記入力表示装置が回転した方向と逆方向に回転して表示し、前記特定された画面構成要素以外の画面構成要素を回転させないで表示することを特徴とする請求項１１乃至１３の何れか１項に記載の入力表示装置。
【請求項１５】
前記画面構成要素は出力対象の画像のサムネイルであることを特徴とする請求項１１乃至１４の何れか１項に記載の入力表示装置。
【請求項１６】
表示手段と、前記表示手段に表示された画面への操作者によるタッチを検出するタッチ検出手段と、装置本体の姿勢を検出する姿勢検出手段と、を備える入力表示装置の制御方法であって、
前記タッチ検出手段による検出結果に基づいて、前記表示手段に表示されている画面上において操作者により選択された画面構成要素を特定する特定工程と、
前記姿勢検出手段によって検出された前記入力表示装置の姿勢に基づいて、該入力表示装置が前記表示手段の表示画面を含む平面上で回転したか否かを判定する回転判定工程と、
前記回転判定工程において前記入力表示装置が回転したと判定されると、前記特定工程において特定された画面構成要素を、前記入力表示装置が回転した方向と逆方向に回転して表示する表示制御工程と、
を実行することを特徴とする入力表示装置の制御方法。
【請求項１７】
請求項１０又は１６に記載の入力表示装置の制御方法における各ステップをコンピュータに実行させるためのプログラム。
【手続補正２】
【補正対象書類名】明細書
【補正対象項目名】発明の名称
【補正方法】変更
【補正の内容】
【発明の名称】入力表示装置、その制御方法、プログラム、及び印刷装置
【手続補正３】
【補正対象書類名】明細書
【補正対象項目名】０００６
【補正方法】変更
【補正の内容】
【０００６】
本発明は、例えば、印刷装置と通信可能な入力表示装置であって、印刷設定画面を表示する表示手段と、前記表示手段に表示した前記印刷設定画面への操作者によるタッチを検出するタッチ検出手段と、装置本体の姿勢を検出する姿勢検出手段と、前記タッチ検出手段によって検出された操作者によるタッチが前記印刷設定画面に表示されている何れの画面構成要素をタッチしているかを判定する位置判定手段と、前記タッチ検出手段によって検出された操作者によるタッチからの操作がどのような操作であるかを判定する操作判定手段と、前記姿勢検出手段によって検出された前記入力表示装置の姿勢から該入力表示装置が前記表示手段の表示画面を含む平面上で回転したか否かを判定する回転判定手段と、前記操作判定手段によって前記操作が長押しであると判定され、且つ、前記回転判定手段によって回転したと判定されると、前記位置判定手段によってタッチしていると判定された画面構成要素を、前記入力表示装置が回転した方向と逆方向に回転して表示する表示制御手段とを備えることを特徴とする。また、本発明は、例えば、入力表示装置であって、表示手段と、前記表示手段に表示された画面への操作者によるタッチを検出するタッチ検出手段と、装置本体の姿勢を検出する姿勢検出手段と、前記タッチ検出手段による検出結果に基づいて、前記表示手段に表示されている画面上において操作者により選択された画面構成要素を特定する特定手段と、前記姿勢検出手段によって検出された前記入力表示装置の姿勢に基づいて、該入力表示装置が前記表示手段の表示画面を含む平面上で回転したか否かを判定する回転判定手段と、前記回転判定手段によって前記入力表示装置が回転したと判定されると、前記特定手段によって特定された画面構成要素を、前記入力表示装置が回転した方向と逆方向に回転して表示する表示制御手段と、を備えることを特徴とする。